(57)【要約】プリ記録領域（１３）および後記録領域（１４）を記録ディスク（１）に形成し、プリ記録領域（１３）には再生順序制御データ（２１）を書換不能に記録し、後記録領域（１４）には再生データユニットの追記を可能にする。後記録領域（１４）を複数の単位領域（２４）に仕切り、再生順序制御データ（２１）には、単位領域（２４）と一対一の対応関係にある制御データユニット（２３）を持たせ、制御データユニット（２３）には、対応する単位領域（２４）の記録位置と長さを規定した情報を持たせる。【特許請求の範囲】
【請求項１】
再生順序制御データが予め記録されたプリ記録領域と、
再生データユニットを記録するための後記録領域とを備え、
前記後記録領域には前記再生データユニットを追加的に記録することができ、
前記後記録領域は、前記再生データユニットを当該後記録領域に記録する前から、所定の長さを有しかつ物理的に連続して配列された複数の単位領域に仕切られており、
前記再生順序制御データは、前記各単位領域に記録される前記再生データユニットの再生順序を制御するためのデータであり、
前記再生順序制御データは、前記再生データユニットを前記後記録領域に記録する前から、前記各単位領域の位置を示す位置情報を有していることを特徴とする情報記録媒体。
【請求項２】
前記再生順序制御データは、前記再生データユニットを前記後記録領域に記録する前から、前記各単位領域にアクセスする順序を規定した順序情報を有していることを特徴とする請求の範囲第１項に記載の情報記録媒体。
【請求項３】
前記再生順序制御データは、前記再生データユニットを前記後記録領域に記録する前から、前記各単位領域にジャンプする旨を命じるジャンプ命令を有していることを特徴とする請求の範囲第１項に記載の情報記録媒体。
【請求項４】
前記再生順序制御データは、前記再生データユニットを前記後記録領域に記録する前から、前記各単位領域の長さを示す長さ情報を有することを特徴とする請求の範囲第１項に記載の情報記録媒体。
【請求項５】
前記再生順序制御データは、複数の制御データユニットを含んでおり、前記複数の制御データユニットと前記複数の単位領域とがそれぞれ対応づけられていることを特徴とする請求の範囲第１項に記載の情報記録媒体。
【請求項６】
前記後記録領域は、物理的に連続した１個の領域であることを特徴とする請求の範囲第１項に記載の情報記録媒体。
【請求項７】
前記各単位領域はそれぞれ同一の長さを有していることを特徴とする請求の範囲第１項に記載の情報記録媒体。
【請求項８】
前記プリ記録領域には、前記再生順序制御データが書換不能に記録されていることを特徴とする請求の範囲第１項に記載の情報記録媒体。
【請求項９】
前記後記録領域は未記録状態であることを特徴とする請求の範囲第１項に記載の情報記録媒体。
【請求項１０】
ファイルシステムが未記録であることを特徴とする請求の範囲第１項に記載の情報記録媒体。
【請求項１１】
前記プリ記録領域に前記再生順序制御データが予め記録され、かつ前記後記録領域に前記再生データユニットの追記が可能な情報記録媒体であることを示す記録媒体識別情報が、予め記録されていることを特徴とする請求の範囲第１項に記載の情報記録媒体。
【請求項１２】
少なくとも２個の記録層を有し、
前記２個の記録層のうち、一方の記録層に前記プリ記録領域が形成され、他方の記録層に前記後記録領域が形成されていることを特徴とする請求の範囲第１項に記載の情報記録媒体。
【請求項１３】
光ビームが照射される外表面を有し、
前記プリ記録領域が形成された記録層と前記外表面との間の距離が、前記後記録領域が形成された記録層と前記外表面との間の距離よりも大きいことを特徴とする請求の範囲第１２項に記載の情報記録媒体。
【請求項１４】
ディスク状基板を有し、
前記２個の記録層が前記ディスク状基板上に積層されており、
前記プリ記録領域に記録された前記再生順序制御データの読取方向と前記後記録領域に記録される再生データユニットの読取方向とが同じであり、これらの読取方向はいずれも前記ディスク状基板の所定の半径方向であることを特徴とする請求の範囲第１２項に記載の情報記録媒体。
【請求項１５】
前記再生順序制御データおよび前記再生データユニットは、両者合わせて１個のコンテンツデータグループを形成し、当該コンテンツデータグループは、直接の再生の対象であるコンテンツの内容を符号化した第１データとこの第１データの再生順序を決定するための第２データとを１個のデータグループ中に配列することを義務づけた規格に準拠した１個のデータグループであることを特徴とする請求の範囲第１項に記載の情報記録媒体。
【請求項１６】
前記再生順序制御データおよび前記再生データユニットは、両者合わせて１個のコンテンツデータグループを形成し、当該コンテンツデータグループはＤＶＤビデオ規格に準拠した１個のデータグループであることを特徴とする請求の範囲第１項に記載の情報記録媒体。
【請求項１７】
前記単位領域には、前記再生データユニットと共に戻り位置情報が記録されており、当該戻り位置情報は、当該戻り位置情報が記録されている単位領域の次の単位領域に対応する制御データユニットの記録位置またはその直前位置を示していることを特徴とする請求の範囲第５項に記載の情報記録媒体。
【請求項１８】
(a)再生順序制御データが予め記録されたプリ記録領域と再生データユニットを記録するための後記録領域とを備え、(b)前記後記録領域には前記再生データユニットを追加的に記録することができ、(c)前記後記録領域は、所定の長さを有しかつ物理的に連続して配列された複数の単位領域に仕切られており、(d)前記再生順序制御データは、前記各単位領域に記録される前記再生データユニットの再生順序を制御するためのデータであり、(e)前記再生順序制御データは複数の第１制御データユニットを有し、(f)前記複数の第１制御データユニットは前記複数の単位領域にそれぞれ対応しており、(g)前記複数の第１制御データユニットは、前記複数の単位領域の位置を示す第１位置情報または前記複数の単位領域へジャンプする旨を命じるジャンプ命令をそれぞれ有している情報記録媒体に対し、前記再生データユニットの記録を行う記録装置であって、
前記再生データユニットおよび第２制御データユニットの記録に必要な単位領域の個数を認識する認識手段と、
前記認識手段により認識された個数の単位領域からなる連続領域の次の単位領域に対応する第１制御データユニットの記録位置またはその直前位置を示す第２位置情報を生成する位置情報生成手段と、
前記再生データユニットを前記連続領域に記録する第１記録手段と、
前記第２制御データユニットに前記第２位置情報を含ませ、この第２位置情報を含む当該第２制御データユニットを前記連続領域に記録する第２記録手段とを備えていることを特徴とする記録装置。
【請求項１９】
前記再生データユニットおよび前記第２制御データユニットを前記連続領域に記録した後、前記連続領域の残余領域にダミーデータを記録する第３記録手段を備えていることを特徴とする請求の範囲第１８項に記載の記録装置。
【請求項２０】
(a)再生順序制御データが予め記録されたプリ記録領域と再生データユニットを記録するための後記録領域とを備え、(b)前記後記録領域には前記再生データユニットを追加的に記録することができ、(c)前記後記録領域は、所定の長さを有しかつ物理的に連続して配列された複数の単位領域に仕切られており、(d)前記再生順序制御データは、前記各単位領域に記録される前記再生データユニットの再生順序を制御するためのデータであり、(e)前記再生順序制御データは複数の第１制御データユニットを有し、(f)前記複数の第１制御データユニットは前記複数の単位領域にそれぞれ対応しており、(g)前記複数の第１制御データユニットは、前記複数の単位領域の位置を示す第１位置情報または前記複数の単位領域へジャンプする旨を命じるジャンプ命令をそれぞれ有している情報記録媒体に対し、前記再生データユニットの記録を行う記録方法であって、
前記再生データユニットおよび第２制御データユニットの記録に必要な単位領域の個数を認識する認識工程と、
前記認識工程において認識された個数の単位領域からなる連続領域の次の単位領域に対応する第１制御データユニットの記録位置またはその直前位置を示す第２位置情報を生成する位置情報生成工程と、
前記再生データユニットを前記連続領域に記録する第１記録工程と、
前記第２制御データユニットに前記第２位置情報を含ませ、この第２位置情報を含む当該第２制御データユニットを前記連続領域に記録する第２記録工程とを備えていることを特徴とする記録方法。
【請求項２１】
請求の範囲第１８項に記載の記録装置としてコンピュータを機能させることを特徴とするコンピュータプログラム。
【発明の詳細な説明】
【技術分野】
【０００１】
本発明は、例えば光ディスクなどの情報記録媒体、このような情報記録媒体に対し情報の記録を行う記録装置および記録方法に関する。
【背景技術】
【０００２】
現在、ＤＶＤ−Ｒ（DVD  Recordable）、ＤＶＤ−ＲＷ（DVD  ReWritable）などの追記型・書換可能型の情報記録媒体が普及している。これらの追記型・書換可能型情報記録媒体を用いることにより、ユーザは、自ら撮影した映像を動画データとして情報記録媒体に記録することができ、あるいは自ら撮影した写真を静止画データとして情報記録媒体に記録することができ、あるいは自ら選択した楽曲を音声データとして情報記録媒体に記録することができる。【０００３】
例えば、ユーザは、自ら撮影した写真を静止画データとしてＤＶＤ−Ｒに記録することにより、オリジナルのＤＶＤフォトアルバムを作成することができる。
【発明の開示】
【発明が解決しようとする課題】
【０００４】
ところが、一般に、情報記録媒体に記録したデータを、当該情報記録媒体の規格に準拠した様々なプレーヤで再生可能にするためには、オーサリングを行う必要がある。例えば、ＤＶＤビデオフォーマットに基づいてＤＶＤ−Ｒに静止画データを記録してＤＶＤフォトアルバムを作成する場合、ユーザは、ＤＶＤ−Ｒに単に静止画データを記録するだけでは足りず、静止画データを記録した後、オーサリングを行ってＤＶＤタイトルを構築しなければならない。【０００５】
オーサリングの作業は、データの再生順序の設定などに手間がかかるなど、必ずしも容易でない。【０００６】
本発明は上記に例示したような問題点に鑑みなされたものであり、本発明の第１の課題は、オーサリングの手間を省くことができる情報記録媒体、記録装置、記録方法およびコンピュータプログラムを提供することにある。【０００７】
本発明の第２の課題は、一般消費者によるマルチメディア作品の自主制作や制作代行サービス業者によるマルチメディア作品の制作などの簡単化を図ることができる情報記録媒体、記録装置、記録方法およびコンピュータプログラムを提供することにある。
【課題を解決するための手段】
【０００８】
上記課題を解決するために本発明の情報記録媒体は、再生順序制御データが予め記録されたプリ記録領域と、再生データユニットを記録するための後記録領域とを備え、前記後記録領域には前記再生データユニットを追加的に記録することができ、前記後記録領域は、前記再生データユニットを当該後記録領域に記録する前から、所定の長さを有しかつ物理的に連続して配列された複数の単位領域に仕切られており、前記再生順序制御データは、前記各単位領域に記録される前記再生データユニットの再生順序を制御するためのデータであり、前記再生順序制御データは、前記再生データユニットを前記後記録領域に記録する前から、前記各単位領域の位置を示す位置情報を有している。【０００９】
上記課題を解決するために本発明の記録装置は、(a)再生順序制御データが予め記録されたプリ記録領域と再生データユニットを記録するための後記録領域とを備え、(b)前記後記録領域には前記再生データユニットを追加的に記録することができ、(c)前記後記録領域は、所定の長さを有しかつ物理的に連続して配列された複数の単位領域に仕切られており、(d)前記再生順序制御データは、前記各単位領域に記録される前記再生データユニットの再生順序を制御するためのデータであり、(e)前記再生順序制御データは複数の第１制御データユニットを有し、(f)前記複数の第１制御データユニットは前記複数の単位領域にそれぞれ対応しており、(g)前記複数の第１制御データユニットは、前記複数の単位領域の位置を示す第１位置情報または前記複数の単位領域へジャンプする旨を命じるジャンプ命令をそれぞれ有している情報記録媒体に対し、前記再生データユニットの記録を行う記録装置であって、前記再生データユニットおよび第２制御データユニットの記録に必要な単位領域の個数を認識する認識手段と、前記認識手段により認識された個数の単位領域からなる連続領域の次の単位領域に対応する第１制御データユニットの記録位置またはその直前位置を示す第２位置情報を生成する位置情報生成手段と、前記再生データユニットを前記連続領域に記録する第１記録手段と、前記第２制御データユニットに前記第２位置情報を含ませ、この第２位置情報を含む当該第２制御データユニットを前記連続領域に記録する第２記録手段とを備えている。【００１０】
上記課題を解決するために本発明の記録方法は、(a)再生順序制御データが予め記録されたプリ記録領域と再生データユニットを記録するための後記録領域とを備え、(b)前記後記録領域には前記再生データユニットを追加的に記録することができ、(c)前記後記録領域は、所定の長さを有しかつ物理的に連続して配列された複数の単位領域に仕切られており、(d)前記再生順序制御データは、前記各単位領域に記録される前記再生データユニットの再生順序を制御するためのデータであり、(e)前記再生順序制御データは複数の第１制御データユニットを有し、(f)前記複数の第１制御データユニットは前記複数の単位領域にそれぞれ対応しており、(g)前記複数の第１制御データユニットは、前記複数の単位領域の位置を示す第１位置情報または前記複数の単位領域へジャンプする旨を命じるジャンプ命令をそれぞれ有している情報記録媒体に対し、前記再生データユニットの記録を行う記録方法であって、前記再生データユニットおよび第２制御データユニットの記録に必要な単位領域の個数を認識する認識工程と、前記認識工程において認識された個数の単位領域からなる連続領域の次の単位領域に対応する第１制御データユニットの記録位置またはその直前位置を示す第２位置情報を生成する位置情報生成工程と、前記再生データユニットを前記連続領域に記録する第１記録工程と、前記第２制御データユニットに前記第２位置情報を含ませ、この第２位置情報を含む当該第２制御データユニットを前記連続領域に記録する第２記録工程とを備えている。【００１１】
上記課題を解決するために本発明のコンピュータプログラムは、本発明の記録装置（但し、その各種態様を含む）としてコンピュータを機能させる。【００１２】
上記課題を解決するためにコンピュータ読取可能な媒体内のコンピュータプログラム製品は、コンピュータにより実行可能なプログラム命令を明白に具現化し、該コンピュータを、本発明の記録装置（但し、その各種態様を含む）として機能させる。【００１３】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の記録装置を比較的容易に実施可能となる。更に具体的には、当該コンピュータプログラム製品は、上述した本発明の記録装置として機能させるコンピュータ読取可能なコード（或いはコンピュータ読取可能な命令）から構成されてよい。【００１４】
本発明のこのような作用及び他の利得は次に説明する実施形態から明らかにされる。
【図面の簡単な説明】
【００１５】
【図１】本発明の情報記録媒体の第１実施形態である１層記録ディスクを示す説明図である。
【図２】記録ディスクのプリ記録領域に記録された再生順序制御データおよび後記録領域中の単位領域を示す説明図である。
【図３】制御データユニットの内容を示す説明図である。
【図４】総合制御データの内容の一例を示す説明図である。
【図５】総合制御データの内容の他の例を示す説明図である。
【図６】本発明の記録ディスクに記録された再生データユニットの第１の再生手順を示す説明図である。
【図７】本発明の記録ディスクに記録された再生データユニットの第２の再生手順を示す説明図である。
【図８】本発明の記録ディスクに記録された再生データユニットの第３の再生手順を示す説明図である。
【図９】ＤＶＤビデオ規格を利用して本発明の記録ディスク上のデータ構造を構築した例を示す説明図である。
【図１０】ランドプリピットを利用して本発明の記録媒体認識情報を形成した例を示す説明図である。
【図１１】データ構成情報を記録ディスクに記録した例を示す説明図である。
【図１２】再生データユニットの構成例を示す説明図である。
【図１３】再生データユニットの他の構成例を示す説明図である。
【図１４】再生データユニットの他の構成例を示す説明図である。
【図１５】本発明の情報記録媒体の第２実施形態である２層記録ディスクを示す説明図である。
【図１６】記録ディスクのプリ記録領域に記録された再生順序制御データおよび後記録領域中の単位領域を示す説明図である。
【図１７】パラレルトラックパス方式を採用した本発明の記録ディスクの第２実施形態を示す説明図である。
【図１８】オポジットトラックパス方式を採用した本発明の記録ディスクの第２実施形態を示す説明図である。
【図１９】本発明の記録装置の実施形態である記録再生装置を示すブロック図である。
【図２０】本発明の記録装置の動作を示すフローチャートである。
【図２１】本発明の記録装置の記録処理の内容を示すフローチャートである。
【符号の説明】
【００１６】
１、３  記録ディスク
１３、９６  プリ記録領域
１４、９３  後記録領域
１２、９２  ファイルシステム領域
２１、１０１  再生順序制御データ
２３、１０３  制御データユニット
２４、１０４  単位領域
３１  位置情報
３２  長さ情報
４１、４２、４４  再生データユニット
４３、４５  戻り制御データユニット
６１  記録媒体識別情報
２００  記録再生装置
２０６  制御部
【発明を実施するための最良の形態】
【００１７】
以下、本発明を実施するための最良の形態について実施形態毎に順に図面に基づいて説明する。【００１８】
（ディスクの物理的構造）
図１は、本発明の情報記録媒体の第１実施形態である記録ディスクを示している。【００１９】
図１中の記録ディスク１は１層の記録層を有する。記録ディスク１は、再生専用の記録層と追記可能な記録層とを備えた複合型記録ディスク（ハイブリッドディスク）である。例えば、記録ディスク１は、ＤＶＤ−ＲＯＭ（DVD-Read Only Memory）の記録層とＤＶＤ−Ｒの記録層とを備えた複合型ＤＶＤである。【００２０】
例えば、図１に示すように、記録ディスク１の記録層のうち、ファイルシステム（FS）記録領域１２に対応する部分、つまりディスク基板２の内周側に位置する部分は、追記可能な記録層である。また、記録ディスク１の記録層のうち、プリ記録領域１３に対応する部分、つまりディスク基板２のほぼ中間部に位置する部分は、再生専用の記録層である。また、記録ディスク１の記録層のうち、後記録領域１４に対応する部分、つまりディスク基板２の外周側に位置する部分は、追記可能な記録層である。なお、リードイン領域１１に対応する領域、つまりディスク基板２の最内周側に位置する部分は、再生専用の記録層である。また、リードアウト領域１５に対応する領域、つまりディスク基板２の最外周側に位置する部分も、再生専用の記録層である。【００２１】
記録ディスク１において、再生専用の記録層は、物理的に再生専用の記録層である。この記録層には、スタンパなどを用いることによりエンボスピットが予め形成されている。この記録層に対し、データの追記も書換も行うことができない。この記録層は、例えば一般のＤＶＤ−ＲＯＭに用いられている記録層とほぼ同じ構造としてもよい。【００２２】
一方、記録ディスク１において、追記可能な記録層は、物理的に追記可能な記録層であり、例えば有機色素膜により形成されている。この記録層には、有機色素膜の熱変形または加熱による有機色素膜の屈折率の変化を利用してデータをピットとして記録することができる。しかし、一度記録したデータを書き換えることができない。この記録層は、例えば一般のＤＶＤ−Ｒに用いられている記録層と同じ構造としてもよい。【００２３】
なお、プリ記録領域１３の記録層上の配置、および後記録領域１４の記録層上の配置は図１に示すような配置でなくてもよい。もっとも、後記録領域１４は記録層上において物理的に連続して存在していることが望ましい。また、プリ記録領域１３は、後記録領域１４よりも先に読取が行われるように配置することが望ましい。後記録領域１４よりも先に読取が行われるようにプリ記録領域１３を配置することにより、読取処理におけるヘッドのジャンプを少なくし、読取速度の向上を図ることができる。【００２４】
また、本発明の情報記録媒体は、再生専用のデータが予め記録されている領域と、データを追記可能なまたは書換可能な領域とを実質的に備えた情報記録媒体であればよい。したがって、本発明の情報記録媒体において、再生専用のデータが予め記録されている領域に対応する記録層を、物理的に再生専用の記録層としなくてもよい。例えば、この記録層を、物理的に追記可能な記録層または物理的に書換可能な記録層とし、この記録層に予め記録されたデータを情報処理的手法により書換不能としてもよい。【００２５】
また、図１に示す記録ディスク１の追記可能な記録層を、書換可能な記録層に代えてもよい。書換可能な記録層は、例えば相変化膜により形成することができる。この記録層には、相変化を利用してデータをピットとして記録することができる。一度記録したデータを書き換えることもできる。【００２６】
（ディスク上の領域構造）
図１に示すように、記録ディスク１の記録層には、ディスク基板２の内周側から外周側に向かって、リードイン領域１１、ファイルシステム記録領域１２、プリ記録領域１３、後記録領域１４およびリードアウト領域１５が形成されている。【００２７】
ファイルシステム記録領域１２は、ファイルシステムを記録するための領域である。上述したように、ファイルシステム記録領域１２は追記可能な記録層上に形成されている。記録ディスク１の工場出荷時において、ファイルシステム記録領域１２にはファイルシステムは記録されておらず、例えばファイルシステム記録領域１２は未記録の状態である。ファイルシステムは、再生データユニットの記録が完了した後に記録される。再生データユニットの記録およびファイルシステムの記録については後述する。【００２８】
なお、記録ディスク１の工場出荷時において、ファイルシステム記録領域１２にファイルシステムを予め記録しておく構成とすることもできる。しかし、この場合には、後記録領域１４に再生データユニットを記録していない状態で記録ディスク１を再生装置に挿入したときに、再生装置が未記録状態の後記録領域１４にアクセスしてしまう場合がある。したがって、記録ディスク１の工場出荷時において、ファイルシステム記録領域１２にはファイルシステムを記録しない方が望ましい。もっとも、プリ記録領域１３に再生順序制御データが予め記録され、かつ後記録領域１４に再生データユニットの追記が可能な記録ディスク１である旨を、後述する記録媒体認識情報により再生装置に認識させる構成を採用すれば、再生装置が未記録状態の後記録領域１４にアクセスしてしまうことを未然に防止することが可能である。したがって、この構成を採用した場合には、記録ディスク１の工場出荷時において、ファイルシステム記録領域１２にファイルシステムを予め記録しておいてもよい。記録ディスク１の工場出荷時において、ファイルシステム記録領域１２にファイルシステムを予め記録しておく構成を採用すれば、ファイルシステム記録領域１２に対応する記録層を物理的に再生専用の記録層にすることができる。これにより、記録ディスク１のリードイン領域１１からプリ記録領域１３までの連続的な領域をすべて物理的に再生専用の記録層にすることができるので、記録ディスク１の製造が容易になり、製造コストの削減などを実現することができる。【００２９】
プリ記録領域１３には、再生順序制御データが予め記録されている。上述したように、プリ記録領域１３は再生専用の記録層上に形成されている。プリ記録領域１３には、再生順序制御データに対応するエンボスピットがスタンパなどを用いることにより予め記録されている。例えば、再生順序制御データは、記録ディスク１の製造過程において記録される。したがって、記録ディスク１の工場出荷時には、すでに再生順序制御データがプリ記録領域１３に記録されている。再生順序制御データは消去することも書き換えることもできない。なお、再生順序制御データの内容については後述する。【００３０】
後記録領域１４は、再生データユニットを記録するための領域である。後記録領域１４は、物理的に連続した１個の領域であることが望ましい。なお、後記録領域１４を物理的に連続した数個の領域に分割してもよいが、後記録領域１４を細かく分割すればするほど、再生データユニットの実質的記録容量、つまり後記録領域の利用効率が低下する。後記録領域１４を物理的に連続した１個の領域とすることにより、後記録領域の利用効率が高まり、再生データユニットの実質的記録容量を増加させることができる。【００３１】
また、後記録領域１４を物理的に連続した１個または数個の領域とすることにより、様々な長さを有する再生データユニットを記録することが可能になる。この効果についてはさらに後述する。【００３２】
後記録領域１４には、再生データユニットを追加的に記録、つまり追記することができる。上述したように、後記録領域１４は追記可能な記録層上に形成されている。記録ディスク１の工場出荷時において、後記録領域１４には再生データユニットは記録されておらず、例えば後記録領域１４は未記録の状態である。再生データユニットは、例えば記録ディスク１を購入した一般消費者などにより記録装置などを用いて記録される。【００３３】
（データ構造）
図２は、記録ディスク１のプリ記録領域１３に記録された再生順序制御データおよび後記録領域１４中の単位領域を示している。【００３４】
図２に示すように、後記録領域１４は、複数の単位領域２４、２４、…に仕切られている。後述するように、原則として、１個の単位領域２４には１個の再生データユニットが追記される。【００３５】
なお、後記録領域１４が複数の単位領域２４に仕切られているといっても、後記録領域１４に物理的な仕切が存在しているのではなく、仕切の役割を果たすようなプリピットが形成されているのでもなく、単位領域間の境界を示すマーキング情報が後記録領域１４に記録されているのでもない。複数の単位領域２４は、再生順序制御データ２１の制御データユニット２３によって後記録領域１４中に仮想的に規定されている。もっとも、後記録領域１４にプリピットなどの仕切構造体を形成し、またはマーキング情報などの仕切情報を記録し、これにより後記録領域１４を複数の単位領域に仕切ってもよい。【００３６】
各単位領域２４は所定の長さＬ１を有し、物理的に連続して配列されている。単位領域２４の長さＬ１は、いずれも一定であり、かつ同一であることが望ましい。各単位領域２４の長さＬ１は、例えば１個のＥＣＣブロックの長さよりも大きいことが望ましい。さらに、各単位領域２４の長さＬ１は、例えばＭＰＥＧ規格に基づくＩピクチャが１個程度記録することができる程度であることがよりいっそう望ましい。【００３７】
再生データユニットは、例えば静止画データ、動画データ、音声データなどである。再生データユニットは、１個の静止画データでもよいし、複数の静止画データの組み合わせでもよいし、動画データと音声データとの混合データでもよい。もっとも、再生データユニットはそれ自体で閉じていることが望ましい。すなわち、１個の再生データユニットの再生を開始してから完了するまでの間に、当該再生データユニットから他の再生データユニットにジャンプするような構成になっていないことが望ましい。【００３８】
一方、プリ記録領域１３に予め記録された再生順序制御データ２１は、各単位領域２４に記録される再生データユニットの再生順序を制御するためのデータである。再生順序制御データ２１は、総合制御データ２２および複数の制御データユニット２３、２３、…を含んでいる。【００３９】
制御データユニット２３と単位領域２４とはそれぞれ対応づけられている。例えば、制御データユニット２３と単位領域２４とは一対一の対応関係にあり、制御データユニット２３の個数は単位領域２４の個数に等しい。制御データユニット２３は、プリ記録領域１３内の所定の領域において物理的に連続して配列されていることが望ましい。また、制御データユニット２３の長さは相互に同じであることが望ましい。【００４０】
図３は、制御データユニット２３の内容を示している。図３に示すように、制御データユニット２３には、位置情報３１および長さ情報３２が含まれている。位置情報３１は、制御データユニット２３に対応する単位領域２４の位置を示す情報である。具体的には、位置情報３１は、制御データユニット２３に対応する単位領域２４の先頭アドレス番号であることが望ましい。例えば、図２に示すように、制御データユニット＃１には単位領域＃１のアドレス先頭番号Ｐ１が含まれている。制御データユニット＃２には単位領域＃２の先頭アドレス番号Ｐ２が含まれている。制御データユニット＃ｎには単位領域＃ｎの先頭アドレス番号Ｐｎが含まれている。【００４１】
図３に示す長さ情報３２は、制御データユニット２３に対応する単位領域２４の長さＬ１を示す情報である。制御データユニット２３は、位置情報３１および長さ情報３２によって後記録領域１４中の単位領域２４を仮想的に規定している。【００４２】
制御データユニット２３は、例えばＤＶＤビデオ規格に基づくナビゲーションパックにより実現することができる。【００４３】
図４は、総合制御データ２２を示している。図４に示すように、総合制御データ２２には順序情報３３が含まれている。順序情報３３は、単位領域２４にアクセスする順序を規定した情報である。つまり、単位領域２４に再生データユニットが記録された後においては、順序情報３３は、単位領域２４に記録された再生データユニットを読み取るまたは再生する順序を規定した情報である。【００４４】
例えば、制御データユニット２３の読取順序を記述したものを順序情報３３として用いてもよい。制御データユニット２３には単位領域２４についての位置情報３１および長さ情報３２が含まれているので、制御データユニット２３の読取順序を決めれば、単位領域２４のアクセス順序を定めることができ、単位領域２４に記録された再生データユニットの再生順序を定めることができる。【００４５】
総合制御データ２２は、例えばＤＶＤビデオ規格に基づくＶＴＳＩ（Video Title Set Information）により実現することができる。また、順序情報３３は、例えばＤＶＤビデオ規格に基づくＰＣＢ（Program Control Block）により実現することができる。【００４６】
なお、制御データユニット２３の記録順序が、再生装置によるデータ読取方向（例えば記録ディスク１の内周側から外周側に向かう方向）と一致しており、かつ、再生装置による当該データ読取方向が常に維持されることが保証されている場合には、順序情報３３を排除してもよい。【００４７】
また、図５に示すように、順序情報３３に代えてまたは加えてジャンプ命令３４を総合制御データ２２に含ませてもよい。例えば、制御データユニット２３からこれに対応する単位領域２４へジャンプする旨を命じる命令、単位領域２４からこの単位領域２４の次の単位領域２４に対応する制御データユニット２３へジャンプする旨を命じるジャンプ命令、制御データユニット２３間をジャンプする旨を命じるジャンプ命令などを総合制御データ２２に含ませてもよい。そして、ジャンプ命令を組み合わせることによって、制御データユニット２３の読取順序、単位領域２４のアクセス順序または再生データユニットの再生順序を決めてもよい。【００４８】
（再生データユニットの記録）
図６は、単位領域に再生データユニットが記録された状態を示している。原則として、１個の単位領域２４には１個の再生データユニットが記録される。もっとも、図８に示すように、２個以上の単位領域２４に１個の再生データユニットを記録することもできる。【００４９】
再生データユニットは、単位領域２４の先頭から記録される。なお、１個の再生データユニットの長さが１個の単位領域２４の長さＬ１よりも短い場合、この再生データユニットを単位領域２４に記録した後に、単位領域２４の末尾領域に残余が生じる。この場合には、残余領域にはダミーデータ（例えば０のデータ）を記録することが望ましい。【００５０】
また、図７または図８に示すように、単位領域２４には、再生データユニットと共に戻り制御データユニット４３、４５を記録することができる。この場合、戻り制御データユニット４３、４５は、再生データユニットの直後に記録する。上述したとおり、再生データユニットは、例えば記録ディスク１を購入した一般消費者などにより記録装置などを用いて記録されるが、これと同様に、戻り制御データユニット４３、４５も、一般消費者などにより記録装置などを用いて記録することができる。【００５１】
戻り制御データユニットには、当該戻り制御データユニットが記録されている単位領域２４の次の単位領域２４に対応する制御データユニット２３の記録位置またはその直前位置を示す戻り位置情報（例えばアドレス番号）が含まれている。【００５２】
なお、単位領域２４に戻り制御データユニットを記録した場合には、プリ記録領域１３に記録された制御データユニット２３から長さ情報３２を排除してもよい。【００５３】
（再生動作１）
単位領域２４に記録された再生データユニットの再生には、図６、図７、図８にそれぞれ示すように３つの手順がある。【００５４】
まず、図６を参照しながら第１の再生手順について説明する。再生装置は、まず、光ピックアップから照射される光ビームの照射位置を、プリ記録領域１３内において総合制御データ２２の記録位置に移動させ、総合制御データ２２を読み取る（図２参照）。【００５５】
続いて、再生装置は、総合制御データ２２に含まれている順序情報３３を参照する（図４参照）。順序情報３３は例えば制御データユニット２３の読取順序を示す情報である。この順序情報３３によれば、制御データユニット２３の読取順序が図６中の＃１、＃２、＃３、…であったとする。再生装置は、この順序情報３３に基づいて制御データユニット２３の読取順序を認識し、この読取順序に従って制御データユニット＃１、＃２、＃３、…を読み取っていく。【００５６】
すなわち、再生装置は、まず、プリ記録領域１３内において制御データユニット＃１の記録位置Ｑ１に光ビームの照射位置を移動させ、制御データユニット＃１を読み取る。【００５７】
制御データユニット＃１に対応する単位領域２４には再生データユニット＃１（４１）が記録されている。そして、制御データユニット＃１には、位置情報３１が含まれており（図３参照）、この位置情報３１は、具体的には再生データユニット＃１が記録された単位領域２４の先頭アドレス番号Ａ１である。さらに、制御データユニット＃１には、再生データユニット＃１が記録された単位領域２４の長さＬ１を示す長さ情報３２が含まれている（図３参照）。再生装置は、制御データユニット＃１に含まれる位置情報３１および長さ情報３２を参照し、アドレス番号Ａ１および長さＬ１を認識する。【００５８】
続いて、再生装置は、後記録領域１４内のアドレス番号Ａ１に対応する位置Ｐ１に光ビームの照射位置をジャンプさせる。そして、再生装置は、再生データユニット＃１を読み取り、これを再生する。【００５９】
続いて、再生装置は、アドレス番号Ａ１および長さＬ１に基づいて再生データユニット＃１の読取終了位置を認識する。【００６０】
再生データユニット＃１の読取が終了したら、再生装置は、プリ記録領域１３内における制御データユニット＃２の記録位置Ｑ２に光ビームの照射位置をジャンプさせる。そして、再生装置は、制御データユニット＃２を読み取る。【００６１】
制御データユニット＃２に含まれている位置情報３１は、具体的には再生データユニット＃２が記録された単位領域２４の先頭アドレス番号Ａ２である。さらに、制御データユニット＃２には、再生データユニット＃２が記録された単位領域２４の長さＬ１を示す長さ情報３２が含まれている。再生装置は、制御データユニット＃２に含まれる位置情報３１および長さ情報３２を参照し、アドレス番号Ａ２および長さＬ１を認識する。【００６２】
続いて、再生装置は、後記録領域１４内のアドレス番号Ａ２に対応する位置Ｐ２に光ビームの照射位置をジャンプさせる。そして、再生装置は、再生データユニット＃２を読み取り、これを再生する。【００６３】
続いて、再生装置は、アドレス番号Ａ２および長さＬ１に基づいて再生データユニット＃２の読取終了位置を認識する。【００６４】
再生データユニット＃２の読取が終了したら、再生装置は、プリ記録領域１３内における制御データユニット＃３の記録位置Ｑ３に光ビームの照射位置をジャンプさせる。そして、再生装置は、制御データユニット＃３を読み取る。【００６５】
記録ディスク１の後記録領域１４に記録された再生データユニットは、以上のような手順で再生される。【００６６】
なお、再生データユニットが動画データである場合には、例えば制御データユニット＃１から再生データユニット＃１にジャンプし、再生データユニット＃１の再生終了後に自動的に元の制御データユニット＃１に戻り、続いて制御データユニット＃２の読取に移行するといった手順を作ることが可能である。この場合には、長さ情報３２を排除することができる。【００６７】
（再生動作２）
次に、図７を参照しながら第２の再生手順について説明する。再生装置は、まず、プリ記録領域１３内において総合制御データ２２の記録位置に光ビームの照射位置を移動させ、総合制御データ２２を読み取る。【００６８】
続いて、再生装置は、総合制御データ２２に含まれている順序情報３３を参照する。この順序情報３３によれば、制御データユニット２３の読取順序が図７中の＃１、＃２、＃３、…であったとする。再生装置は、この順序情報３３に基づいて制御データユニット２３の読取順序を認識し、この読取順序に従って制御データユニット＃１、＃２、＃３、…を読み取っていく。【００６９】
すなわち、再生装置は、まず、プリ記録領域１３内において制御データユニット＃１の記録位置Ｑ１に光ビームの照射位置を移動させ、制御データユニット＃１を読み取る。【００７０】
制御データユニット＃１に対応する単位領域２４には再生データユニット＃１（４２）および戻り制御データユニット＃１（４３）が記録されている。一方、制御データユニット＃１に含まれている位置情報３１は、具体的には再生データユニット＃１が記録された単位領域２４の先頭アドレス番号Ａ１である。再生装置は、制御データユニット＃１に含まれる位置情報３１を参照し、アドレス番号Ａ１を認識する。【００７１】
続いて、再生装置は、後記録領域１４内のアドレス番号Ａ１に対応する位置Ｐ１に光ビームの照射位置をジャンプさせる。そして、再生装置は、再生データユニット＃１を読み取り、これを再生する。【００７２】
再生データユニット＃１の読取が終了したら、再生装置は、続いて、戻り制御データユニット＃１を読み取る。戻り制御データユニット＃１には戻り位置情報が含まれており、この戻り位置情報は、具体的には当該戻り制御データユニット＃１が記録されている単位領域２４の次の単位領域２４に対応する制御データユニット＃２のアドレス番号Ｂ２である。再生装置は、戻り制御データユニット＃１に含まれる戻り位置情報を参照し、アドレス番号Ｂ２を認識する。【００７３】
続いて、再生装置は、プリ記録領域１３内のアドレス番号Ｂ２に対応する位置Ｑ２に光ビームの照射位置をジャンプさせる。そして、再生装置は、制御データユニット＃２を読み取る。【００７４】
制御データユニット＃２に対応する単位領域２４には再生データユニット＃２および戻り制御データユニット＃２が記録されている。一方、制御データユニット＃２に含まれている位置情報３１は、具体的には再生データユニット＃２が記録された単位領域２４の先頭アドレス番号Ａ２である。再生装置は、制御データユニット＃２に含まれる位置情報３１を参照し、アドレス番号Ａ２を認識する。【００７５】
続いて、再生装置は、後記録領域１４内のアドレス番号Ａ２に対応する位置Ｐ２に光ビームの照射位置をジャンプさせる。そして、再生装置は、再生データユニット＃２を読み取り、これを再生する。【００７６】
再生データユニット＃２の読取が終了したら、再生装置は、続いて、戻り制御データユニット＃２を読み取る。戻り制御データユニット＃２には戻り位置情報が含まれており、この戻り位置情報は、具体的には当該戻り制御データユニット＃２が記録されている単位領域２４の次の単位領域２４に対応する制御データユニット＃３のアドレス番号Ｂ３である。再生装置は、戻り制御データユニット＃２に含まれる戻り位置情報を参照し、アドレス番号Ｂ３を認識する。【００７７】
続いて、再生装置は、プリ記録領域１３内のアドレス番号Ｂ３に対応する位置Ｑ３に光ビームの照射位置をジャンプさせる。そして、再生装置は、制御データユニット＃３を読み取る。【００７８】
記録ディスク１の後記録領域１４に記録された再生データユニットは、以上のような手順で再生される。【００７９】
（再生動作３）
次に、図８を参照しながら第３の再生手順について説明する。再生装置は、まず、プリ記録領域１３内において総合制御データ２２の記録位置に光ビームの照射位置を移動させ、総合制御データ２２を読み取る。【００８０】
続いて、再生装置は、総合制御データ２２に含まれている順序情報３３を参照する。この順序情報３３によれば、制御データユニット２３の読取順序が図８中の＃１、＃２、＃３、…であったとする。再生装置は、この順序情報３３に基づいて制御データユニット２３の読取順序を認識し、この読取順序に従って制御データユニット＃１、＃２、＃３、…を読み取っていく。【００８１】
再生装置は、まず、プリ記録領域１３内において制御データユニット＃１の記録位置Ｑ１に光ビームの照射位置を移動させ、制御データユニット＃１を読み取る。【００８２】
制御データユニット＃１に対応する単位領域２４には再生データユニット＃１（４４）の前部が記録されている。一方、制御データユニット＃１に含まれている位置情報３１は、具体的には再生データユニット＃１の前部が記録された単位領域２４の先頭アドレス番号Ａ１である。再生装置は、制御データユニット＃１に含まれる位置情報３１を参照し、アドレス番号Ａ１を認識する。【００８３】
続いて、再生装置は、後記録領域１４内のアドレス番号Ａ１に対応する位置Ｐ１に光ビームの照射位置をジャンプさせる。そして、再生装置は、再生データユニット＃１の前部の読み取りを開始する。【００８４】
再生データユニット＃１の前部が記録されている単位領域２４の隣の単位領域２４には、再生データユニット＃１の後部が記録されている。つまり、図８中の再生データユニット＃１は、その長さ１個の単位領域２４の長さよりも長いため、２個の単位領域２４にわたって記録されているのである。再生装置は、再生データユニット＃１の前部を読み取り、引き続き連続的に再生データユニット＃１の後部を読み取る。そして、再生装置は再生データユニット＃１の前部および後部を再生する。【００８５】
再生データユニット＃１の後部の読取が終了したら、再生装置は、続いて、戻り制御データユニット＃１を読み取る。戻り制御データユニット＃１には戻り位置情報が含まれており、この戻り位置情報は、具体的には当該戻り制御データユニット＃１が記録されている単位領域２４の次の単位領域２４に対応する制御データユニット＃３のアドレス番号Ｂ３である。再生装置は、戻り制御データユニット＃１に含まれる戻り位置情報を参照し、アドレス番号Ｂ３を認識する。【００８６】
続いて、再生装置は、プリ記録領域１３内のアドレス番号Ｂ３に対応する位置Ｑ３に光ビームの照射位置をジャンプさせる。そして、再生装置は、制御データユニット＃３を読み取る。【００８７】
２個以上の単位領域２４にわたって記録された再生データユニットは、以上のような手順で再生される。つまり、まとめると、再生データユニットが２個以上の単位領域２４にわたって記録されている場合、再生装置は、まず、当該再生データユニットの先頭が記録された単位領域２４に対応する制御データユニットの位置情報に基づいて当該再生データユニットの先頭の記録位置を認識し、その記録位置にアクセスする。そして、当該再生データユニットの読取を開始したら、当該再生データユニットの末尾の読取を完了するまで、再生装置は当該再生データユニットの読取および再生を連続的に行う。そして、当該再生データユニットの末尾の読取を完了したら、当該再生データユニットに続いて記録されている戻り制御データユニットを読み取り、この戻り制御データユニットに含まれている戻り位置情報に従って光ビームの照射位置をプリ記録領域１３に戻す。【００８８】
この戻り制御データユニットに含まれている戻り位置情報は、当該戻り制御データユニットが記録されている単位領域２４の次の単位領域２４に対応する制御データユニット２３の記録位置を示している。したがって、再生装置は、当該戻り制御データユニットを読み取った後、当該戻り制御データユニットが記録されている単位領域２４の次の単位領域２４に対応する制御データユニット２３を読み取る。この結果、いくつかの制御データユニット２３の読み飛ばされる場合がある。すなわち、１個の再生データユニットの先頭が記録されている単位領域２４と当該再生データユニットの末尾が記録されている単位領域２４との間にｍ個（ｍは１以上の整数）の単位領域２４が存在するときには、これらｍ個の単位領域に対応するｍ個の制御データユニット２３が読み飛ばされる。これは、制御データユニット２３と単位領域２４とが一対一の対応関係にあり、この対応関係は書換不能な再生順序制御データ２１によって予め確定されているからである。【００８９】
（制御データユニットと再生データユニットとの一体性）
ここで、制御データユニット２３と再生データユニットとの一体性について説明する。プリ記録領域１３に予め記録されている制御データユニット２３と、後記録領域１４の単位領域２４に後発的に記録される再生データユニットとは一体性を有し、両者は１個のコンテンツデータグループを構成する。【００９０】
つまり、原則として、単位領域２４の先頭位置および長さは、制御データユニット２３に含まれる位置情報および長さ情報によって予め確定している。そして、再生データユニットの記録を開始する位置は、原則として単位領域２４の先頭位置である。したがって、再生データユニットが単位領域２４に記録されると、再生データユニットの記録位置は瞬時に確定し、当該記録位置は位置情報によって明示される。【００９１】
また、単位領域２４のアクセス順序は制御データユニットおよび順序情報により予め確定している。したがって、複数の再生データユニットのうちどの再生データユニットをどの単位領域２４に記録するかを決め、その決定に従って複数の再生データユニットを複数の単位領域２４に順次記録していけば、それだけで再生データユニットの再生順序は確定する。【００９２】
このような１個のコンテンツデータグループは、図９に示すように、例えばＤＶＤビデオ規格に基づく１個のタイトル５０によって実現することができる。つまり、ナビゲーションパック５１、５１、…のみを含む複数のセル５２、５２、…から構成されるＶＯＢ（Video OBject）５３を形成する。また、中身が空の複数のセル５４、５４、…から構成される仮想のＶＯＢ５５を形成する。そして、ＶＯＢ５３に含まれているナビゲーションパック５１には、ＶＯＢ５５を構成する各セル５４の先頭アドレス番号および各セルの長さを示す情報を入れる。このとき、ＶＯＢ５３を記録ディスク１のプリ記録領域１３に記録したときにＶＯＢ５５を構成する各セル５４の先頭アドレス番号が記録ディスク１の後記録領域１４内の位置を指し示すように、当該先頭アドレス番号を決める。さらに、ＶＯＢ５３を構成するセル５２の再生順序を規定したＰＣＢ５６を作成し、これをＰＧＣ（ProGram Chain）５７の中に入れる。最後に、ＰＧＣ５７およびＶＯＢ５３を記録ディスク１のプリ記録領域１３にエンボスピットとして記録する。【００９３】
なお、制御データユニットと再生データユニットのこのような一体的構成は、ＤＶＤビデオ規格に基づくタイトルに限られない。このような一体的構成は、直接の再生の対象であるコンテンツの内容を符号化した第１データとこの第１データの再生順序を決定するための第２データとを１個のデータグループ中に配列することを義務づけた規格に準拠した１個のデータグループによって実現することが可能である。【００９４】
（記録媒体識別情報）
記録ディスク１には記録媒体識別情報が予め記録されている。すなわち、記録ディスク１は、図１に示すように、記録層上にプリ記録領域１３および後記録領域１４が形成されており、プリ記録領域１３には再生順序制御データ２１が予め記録されている一方で、後記録領域１４は工場出荷時において未記録状態である。記録ディスク１には、当該記録ディスク１がこのような固有な構成を有する記録ディスクであることを示すための記録媒体識別情報が工場出荷時において予め記録されている。これにより、再生装置が記録ディスク１に記録された再生順序制御データ２１を読み取る前に、記録媒体識別情報を再生装置に読み取らせることにより、記録ディスク１が上述したような固有な構成を有する記録ディスクであることを再生装置に認識させることができる。【００９５】
記録媒体識別情報は、具体的には、記録ディスク１のリードイン領域１１内のディスク製造情報領域（Disc Manufacturing Information Area）にフラグとして記録しておくことが望ましい。また、記録ディスクのプリ記録領域が形成されている記録層がＤＶＤ−ＲまたはＤＶＤ−ＲＷの記録層である場合には、図１０に示すように、ウォブルトラック６１間に形成されたランドプリピット６２、６２、…から構成されるランドプリピットデータのリザーブ領域６３に記録媒体識別情報を記録しておいてもよい。【００９６】
さらに、図１１に示すように、プリ記録領域１３の記録内容、後記録領域１４のアドレス情報、単位領域２４の長さなどを含むデータ構成情報７１をプリ記録領域１３の先頭領域に予め記録しておいてもよい。これにより、再生装置が記録ディスク１に記録された再生順序制御データ２１を読み取る前に、データ構成情報７１を再生装置に読み取らせることにより、プリ記録領域１３の記録内容、後記録領域１４のアドレス情報、単位領域２４の長さなどを再生装置に認識させることができる。【００９７】
（再生データユニットの様々な構成）
上述したように、再生データユニットは、１個の静止画データでもよいし、複数の静止画データの組み合わせでもよいし、動画データでもよいし、動画データと音声データとの混合データでもよい。【００９８】
例えば、図１２に示すように、１個の単位領域２４内に、１個の静止画データから構成される再生データユニット８１を記録し、その直後に、静止画の単位表示継続時間を示す情報を含む制御データユニット８２を３個記録する。例えば単位表示継続時間が１秒である場合には、再生装置によって静止画データに対応する静止画を３秒間継続表示させることができる。また、図１３に示すように、２個連なる単位領域２４内に、１個の静止画データから構成される再生データユニット８１を記録し、その直後に、静止画の単位表示継続時間を示す情報を含む制御データユニット８２を６個記録する。例えば単位表示継続時間が１秒である場合には、再生装置によって静止画データに対応する静止画を６秒間継続表示させることができる。このように、１個の静止画データから構成される再生データユニット８１の直後に、静止画の単位表示継続時間を示す情報を含む制御データユニット８２を記録することにより、静止画データに対応する静止画の表示継続時間を設定することができ、しかも、記録する制御データユニット８２の個数を決めるだけで、静止画の表示継続時間を容易に変化させることができる。これにより、例えばスライドショーにおいて写真がスライドする速度を容易に設定することが可能になる。【００９９】
また、図１４に示すように、単位領域２４内に、徐々に変化する静止画の静止画データから構成される再生データユニット８４、８５、８６、８７を４個配列し、その直後に、静止画の単位表示継続時間を示す情報を含む制御データユニット８２を３個配列する。これにより、再生データユニット８４ないし８７によりトランジション効果を作り出すことができ、トランジション効果が終了した後の静止画（再生データユニット８７による静止画）の表示をしばらくの間継続させることができる。【０１００】
以上説明したとおり、記録ディスク１には、(a)追記可能なまたは書換可能な後記録領域１４が存在し、(b)後記録領域１４が複数の単位領域２４に予め仕切られており、(c)再生順序制御データ２１には、各単位領域２４の位置を示す位置情報が予め含まれ、(d)さらに再生順序制御データ２１に各単位領域２４の再生順序を示す情報または命令が予め含まれている。これにより、再生データユニットを単位領域２４に後発的に記録するだけで、再生順序制御データ２１と再生データユニットとが一体となった１個のコンテンツデータグループを形成することができる。【０１０１】
すなわち、各単位領域２４の位置を示す位置情報が予め存在し、この位置情報により各単位領域２４の位置が予め確定しており、再生データユニットはこの単位領域２４に記録される。したがって、再生データユニットが単位領域２４に記録されると、当該再生データユニットの記録位置が瞬時に確定し、それが位置情報により明示される。【０１０２】
また、単位領域２４のアクセス順序は再生順序制御データにより予め確定している。したがって、複数の再生データユニットのうちどの再生データユニットをどの単位領域２４に記録するかを決め、その決定に従って複数の再生データユニットを複数の単位領域２４に順次記録していけば、それだけで再生データユニットの再生順序は確定する。【０１０３】
このように、記録ディスク１によれば、再生データユニットを単位領域２４に単に記録するだけで、再生データユニットの記録位置および再生順序を瞬時に確定することができる。そして、再生データユニットの記録位置および再生順序を確定することにより、再生順序制御データと再生データユニットとが一体となった１個のコンテンツデータグループを形成することができる。【０１０４】
したがって、記録ディスク１によれば、再生データユニットを記録した後、再生データユニットの記録位置の特定、位置情報の生成、再生順序の設定などを含むオーサリングを行う必要がない。よって、例えばＤＶＤフォトアルバムなどのマルチメディア作品を制作する過程においてオーサリングの手間をなくすことができる。これにより、一般消費者によるマルチメディア作品の自主制作や制作代行サービス業者によるマルチメディア作品の制作などの簡単化、マルチメディア作品の制作期間の短縮化などを図ることができる。【０１０５】
また、記録ディスク１によれば、再生順序制御データ２１に制御データユニット２３を含ませ、制御データユニット２３と単位領域２４とを一対一に対応させる構成としたから、再生順序制御データと再生データユニットとが一体となった１個のコンテンツデータグループの形成をよりいっそう容易にかつ効率的に実現することができる。【０１０６】
また、記録ディスク１によれば、各単位領域２４の長さＬ１を均一化したから、再生順序制御データと再生データユニットとが一体となった１個のコンテンツデータグループの形成をよりいっそう容易にかつ効率的に実現することができる。【０１０７】
また、記録ディスク１によれば、再生データユニットを記録するための後記録領域１４を、記録ディスク１の記録層上において物理的に連続した領域としたから、動画データなど、データ長がある程度長い再生データユニットであっても、後記録領域１４に記録することができる。さらに、記録ディスク１によれば、物理的に連続した後記録領域１４内に複数の単位領域２４を連続して配列する構成としたから、再生データユニットの長さに応じて、当該再生データユニットの記録に用いる単位領域２４の個数を変化させることにより、様々な長さを有する再生データユニットを優れた記録効率で記録することができる。これにより、長さ、品質、種類などが異なる様々な再生データユニットを用いてマルチメディア作品を作成することが可能になる。【０１０８】
また、記録ディスク１によれば、再生データユニットと共に戻り位置情報を単位領域２４に記録し、当該戻り位置情報によって、当該戻り位置情報が記録されている単位領域２４の次の単位領域２４に対応する制御データユニット２３の記録位置またはその直前位置を示す構成としたから、再生データユニットの読取からこれに続く制御データユニットの読取への制御の流れを容易に作り出すことができる。【０１０９】
また、この戻り位置情報によれば、再生データユニットの末尾に続けて戻り位置情報を記録することにより、再生データユニットの長さによって再生データユニットの末尾の記録位置が変動しても、再生データユニットの読取からこれに続く制御データユニットの読取への制御の流れを作り出すことができる。したがって、様々な長さを有する再生データユニットを記録することが可能になり、これにより、長さ、品質、種類などが異なる様々な再生データユニットを用いてマルチメディア作品を作成することが可能になる。【０１１０】
また、記録ディスク１によれば、プリ記録領域１３に予め記録された再生順序制御データを書換不能にすることにより、再生順序制御データが書き換えられるのを防止し、これにより、再生順序制御データと単位領域とが対応したデータ構造など、予め設定されたデータ構造が事後的に破壊されるのを防止することができる。その一方で、後記録領域１４を追記可能なまたは書換可能とすることにより、再生データユニットの後発的な記録を可能にし、一般消費者などによるマルチメディア作品制作の自由度を向上させることができる。【０１１１】
（２層記録ディスクへの適用）
図１５は、本発明の情報記録媒体の第２実施形態である記録ディスクを示している。【０１１２】
図１５中の記録ディスク３は片面２層の記録層を有する。記録ディスク３の記録層のうち、データ記録再生のための光ビームが照射される外表面との間の距離が相対的に小さい記録層が第１層（レイヤ０）であり、光ビームが照射される外表面との間の距離が相対的に大きい記録層が第２層（レイヤ１）である。【０１１３】
記録ディスク３は、再生専用の記録層と追記可能な記録層とを備えた複合型２層記録ディスク（ハイブリッドデュアルレイヤディスク）である。すなわち、記録ディスク３の第２層が再生専用の記録層であり、第１層が追記可能な記録層である。例えば、記録ディスク３は、ＤＶＤ−ＲＯＭ（DVD-Read Only Memory）の第２層とＤＶＤ−Ｒの第１層とを備えた複合型２層ＤＶＤである。【０１１４】
記録ディスク３において、第２層は物理的に再生専用の記録層である。第２層には、スタンパなどを用いることによりエンボスピットが予め形成されている。第２層に対し、データの追記も書換も行うことができない。一方、第１層は物理的に追記可能な記録層であり、例えば有機色素膜により形成されている。第１層には、有機色素膜の熱変形または加熱による有機色素膜の屈折率の変化を利用してデータをピットとして記録することができる。しかし、一度記録した情報を書き換えることができない。【０１１５】
なお、本発明の情報記録媒体において、第２層を物理的に追記可能な記録層とし、第１層を物理的に再生専用の記録層としてもよい。しかし、図１５に示す記録ディスク３のように、第２層を物理的に再生専用の記録層とし、第１層を物理的に追記可能な記録層とすることにより、既存の技術または既存の材料を利用して記録ディスク３を安く製造することが可能になる。つまり、第２層を再生専用の記録層とすることにより、第２層を、一般の片面２層ＤＶＤ−ＲＯＭの第２層とほぼ同じ構造とすることができる。これにより、片面２層のＤＶＤ−ＲＯＭに用いられる既存の技術または既存の材料を利用して、記録ディスク３の第２層を安く製造することができる。また、第１層を追記可能な記録層とすることにより、第１層を、一般の１層ＤＶＤ−Ｒとほぼ同じ構造とすることができる。これにより、１層ＤＶＤ−Ｒに用いられる既存の技術または既存の材料を利用して、記録ディスク３の第１層を安く製造することができる。具体的には、１層ＤＶＤ−Ｒの記録層の反射膜を半透過膜に変えるだけで記録ディスク３の第１層を製造することができる。【０１１６】
もっとも、本発明の情報記録媒体は、再生専用のデータが予め記録されている領域と、データを追記可能なまたは書換可能な領域とを実質的に備えた情報記録媒体であればよい。したがって、本発明を適用した２層記録ディスクにおいて、第２層を物理的に追記可能な記録層または物理的に書換可能な記録層とし、この記録層に予め記録されたデータを情報処理的手法により書換不能としてもよい。また、第１層を、例えば相変化膜からなる書換可能な記録層としてもよい。【０１１７】
記録ディスク３は、第１層および第２層双方とも、ディスク基板の内周側から外周側に向けて記録・読取を進めていく方式、つまりパラレルトラックパス方式を採用している。【０１１８】
図１５に示すように、記録ディスク３の第１層には、その内周側から外周側に向かって、リードイン領域９１、ファイルシステム記録領域９２、後記録領域９３、リードアウト領域９４が形成されている。また、第２層には、その内周側から外周側に向かって、リードイン領域９５、プリ記録領域９６およびリードアウト領域９７が形成されている。【０１１９】
ファイルシステム記録領域９２は、ファイルシステムを記録するための領域である。記録ディスク１の工場出荷時において、ファイルシステム記録領域９２にはファイルシステムは記録されておらず、例えばファイルシステム記録領域９２は未記録の状態である。ファイルシステムは、再生データユニットの記録が完了した後に記録される。【０１２０】
プリ記録領域９６には、再生順序制御データが予め記録されている。すなわち、プリ記録領域９６には、再生順序制御データに対応するエンボスピットがスタンパなどを用いることにより予め記録されている。【０１２１】
後記録領域９３は、再生データユニットを記録するための領域である。後記録領域９３は、第１層上において物理的に連続した１個の領域であることが望ましい。後記録領域９３には、再生データユニットを追記することができる。記録ディスク３の工場出荷時において、後記録領域９３には再生データユニットは記録されておらず、例えば後記録領域９３は未記録の状態である。再生データユニットは、例えば記録ディスク３を購入した一般消費者などにより記録装置などを用いて記録される。【０１２２】
図１６は、記録ディスク３のプリ記録領域９６に記録された再生順序制御データおよび後記録領域９３中の単位領域を示している。図１６に示すように、後記録領域９３は、複数の単位領域１０４、１０４、…に仕切られている。単位領域１０４には、上述した記録ディスク１の場合と同様に、再生データユニットが記録される。各単位領域１０４は所定の長さＬ２を有し、物理的に連続して配列されている。単位領域１０４の長さＬ２は、いずれも一定であり、かつ同一であることが望ましい。各単位領域１０４の長さＬ２は、例えば１個のＥＣＣブロックの長さよりも大きいことが望ましい。さらに、各単位領域１０４の長さＬ２は、例えばＭＰＥＧ規格に基づくＩピクチャが１個程度記録することができる程度であることがよりいっそう望ましい。【０１２３】
一方、プリ記録領域９６に予め記録された再生順序制御データ１０１は、各単位領域１０４に記録される再生データユニットの再生順序を制御するためのデータである。再生順序制御データ１０１は、総合制御データ１０２および複数の制御データユニット１０３、１０３、…を含んでいる。制御データユニット１０３と単位領域１０４とはそれぞれ対応づけられている。制御データユニット１０３には、位置情報および長さ情報が含まれている。位置情報は、制御データユニット１０３に対応する単位領域１０４の位置を示す情報である。例えば、制御データユニット＃１には単位領域＃１のアドレス先頭番号Ｐ１が含まれている。制御データユニット＃２には単位領域＃２の先頭アドレス番号Ｐ２が含まれている。制御データユニット＃ｎには単位領域＃ｎの先頭アドレス番号Ｐｎが含まれている。長さ情報は、制御データユニット１０３に対応する単位領域１０４の長さＬ２を示す情報である。【０１２４】
総合制御データ１０２には順序情報が含まれている。順序情報は、例えば、制御データユニット１０３の読取順序を記述したものである。【０１２５】
また、第１番目の単位領域１０４（＃１）は、第１層の内周側に配置されている。そして、第２番目の単位領域１０４（＃２）は、第１番目の単位領域１０４の外周側に隣接して配置され、以後、第３番目、第４番目、…の単位領域１０４が第１層の外周側に向かって連続的に配列されている。これと同様に、第１番目の制御データユニット１０３（＃１）は、第２層の内周側に配置されている。そして、第２番目の制御データユニット１０３（＃２）は、第１番目の制御データユニット１０３の外周側に隣接して配置され、以後、第３番目、第４番目、…の制御データユニット１０３が第２層の外周側に向かって連続的に配列されている。このような配列により、互いに対応している単位領域１０４と制御データユニット１０３とは、記録層をまたぐものの、互いに近い位置に配置されている。場合によっては、互いに対応する単位領域１０４と制御データユニット１０３とが、記録ディスク３のディスク面に対し垂直な方向から見たときにちょうど重なり合う場合もあり、この場合には、互いに対応する単位領域１０４の位置と制御データユニット１０３の記録位置とがきわめて接近する。つまり、図１６に示すように、制御データユニット＃１のほぼ真下に、これに対応する単位領域＃１に位置することがあり、制御データユニット＃１と単位領域＃１とがきわめて接近する。これにより、単位領域１０４に記録された再生データユニットを再生するとき、光ピックアップのシーク時間を短くすることができる。すなわち、再生データユニットを再生するときには、光ビームの照射位置が、互いに対応する単位領域１０４の位置と制御データユニット１０３の記録位置との間を頻繁に往復動する。記録ディスク３によれば、互いに対応する単位領域１０４の位置と制御データユニット１０３の記録位置との間の距離が小さいので、光ビームの照射位置の移動距離、つまりジャンプの距離を小さくなり、この結果、光ピックアップのシーク時間が短くなる。【０１２６】
また、単位領域１０４に記録された再生データユニットの再生手順は、光ビームの照射位置が層をまたいで往復動する点などを除けば、上述した記録ディスク１における再生手順とほぼ同じである。ただ、記録ディスク３の場合、再生順序制御データ１０１が第２層に記録されているので、記録ディスク３を再生装置に挿入し、再生装置による再生処理が開始された直後、第２層の再生順序制御データ１０１先頭の記録位置に光ビームの照射位置を移動させる必要がある。このため、このような移動を実現するための命令または位置情報を例えばファイルシステムなどの中に記述する必要がある。【０１２７】
なお、第１層のファイルシステム記録領域９２の直後に、再生順序制御データの一部またはメニュー情報などを記録してもよい。この場合には、再生順序制御データの一部またはメニュー情報などの中に、第１層から第２層へ光ビームの照射位置を移動させるための命令または位置情報を含ませておけば、再生処理の開始時に、データの読取を円滑に進行させることが可能になる。【０１２８】
また、記録ディスク３は、図１７に示すように、第１層におけるデータ読取方向と第２層におけるデータ読取方向とが一致しているパラレルトラックパス方式を採用している。しかし、本発明はこれに限らず、図１８に示すように、第１層におけるデータ読取方向と第２層におけるデータ読取方向とが反対であるオポジットトラックパス方式を採用することも可能である。【０１２９】
以上説明したとおり、記録ディスク３によれば、再生データユニットを単位領域１０４に記録するだけで、再生順序制御データ１０１と再生データユニットとが一体となった１個のコンテンツデータグループを瞬時に形成することができる。これにより、例えばＤＶＤフォトアルバムなどのマルチメディア作品を制作する過程においてオーサリングの手間をなくすことができる。したがって、一般消費者によるマルチメディア作品の自主制作や制作代行サービス業者によるマルチメディア作品の制作などの簡単化、マルチメディア作品の制作期間の短縮化などを図ることができる。その他、記録ディスク３によれば、記録ディスク１とほぼ同様の作用効果を得ることができる。【０１３０】
（記録再生装置）
図１９は、本発明の記録装置の実施形態である記録再生装置を示している。図１９中の記録再生装置２００は、上述した記録ディスク１に対し、再生データユニットなどの記録および再生を行う機能を備えている。【０１３１】
記録再生装置２００において、再生データユニットなどの記録は基本的に次のように行われる。すなわち、記録再生装置２００は、外部から入力された静止画データ、動画データまたは音声データなどを、エンコーダ２０１によりエンコードし、再生データユニットなどを生成する。さらに、記録再生装置２００は、生成した再生データユニットなどを変調回路２０２により変調し、光ピックアップ２０３により記録ディスク１の後記録領域１４に記録する。【０１３２】
一方、記録ディスク１に記録された再生データユニットなどの再生は次のように行われる。すなわち、再生記録装置２００は、記録ディスク１に記録された再生データユニットなどを光ピックアップ２０３により読み取り、復調回路２０４により復調し、デコーダ２０５によりデコードする。そして、記録再生装置２００は、このようにして得られた静止画データまたは動画データに対応する静止画または動画を、記録再生装置２００に接続されたディスプレイ装置などに表示し、音声データを、記録再生装置２００に接続されたスピーカなどに出力する。【０１３３】
制御部２０６は、このような記録処理および再生処理を制御する。制御部２０６は、例えば中央演算装置、マイクロプロセッサまたはマイクロコンピュータなどにより構成されている。【０１３４】
図２０は、記録再生装置２００における再生データユニットなどの記録処理の詳細な内容を示している。【０１３５】
図２０において、記録ディスク１を記録再生装置２００のディスクスロットに挿入すると、制御部２０６は、まず、記録ディスク１に記録された記録媒体識別情報を読み取る（ステップＳ１）。続いて、制御部２０６は、記録媒体識別情報に基づいて、記録ディスク１が目的の種類の記録ディスクか、すなわち、プリ記録領域１３に再生順序制御データ２１が予め記録され、かつ後記録領域１４に再生データユニットの追記が可能な記録ディスクであるか否かを判断する（ステップＳ２）。【０１３６】
記録ディスク１が目的の種類の記録ディスクであるときには（ステップＳ２：ＹＥＳ）、続いて制御部２０６は、記録ディスク１にファイルシステムが記録されているか否かを判断する（ステップＳ３）。【０１３７】
記録ディスク１にファイルシステムが記録されているときには（ステップＳ３：ＹＥＳ）、続いて制御部２０６は、再生データユニットなどを記録ディスク１に記録する（ステップＳ４）。【０１３８】
再生データユニットなどの記録が終了した後、制御部２０６は、ファイルシステムを記録ディスク１のファイルシステム記録領域１２に記録する（ステップＳ５）。【０１３９】
なお、ステップＳ２において記録ディスクが目的の種類の記録ディスクでなく、他の種類の記録ディスクであるときには、制御部２０６は、当該他の種類の記録ディスクの記録処理へ移行する。【０１４０】
また、ステップＳ３において記録ディスク１にファイルシステムがすでに記録されているときには、制御部２０６は、この記録ディスク１はすでに再生データユニットの記録が完了しており、もはや新たに再生データユニットを追記することができないディスクと判断し、記録処理を直ちに終了する。【０１４１】
図２１は、図２０中のステップＳ４において実行される、再生データユニットなどの記録ディスク１への記録処理の内容をさらに詳細に示している。【０１４２】
図２１において、再生データユニットを記録ディスク１に記録するとき、制御部２０６は、まず、再生データユニットの記録に必要な単位領域２４の個数を認識する（ステップＳ１１）。例えば、制御部２０６は、再生データユニットの長さと戻り制御データユニットの長さとの合計長を算出し、この合計長を１個の単位領域２４の長さで割る。【０１４３】
続いて、制御部２０６は、再生データユニットを記録すべき単位領域２４を特定する（ステップＳ１２）。通常は、単位領域２４の配列順序に従って、すなわち、記録ディスク１の内周側に配置されている第１番目の単位領域２４から記録ディスク１の外周側に向けて連続的に再生データユニットを記録していく。したがって、後記録領域１４における再生データユニットの記録状態を記録ディスク１の内周側から順に調べていけば、再生データユニットを記録すべき単位領域２４を容易に特定することができる。【０１４４】
続いて、制御部２０６は、戻り位置情報を生成する（ステップＳ１３）。すなわち、制御部２０６は、再生データユニットの末尾が記録される単位領域２４の次の単位領域２４に対応する制御データユニットの記録位置またはその直前位置を示す位置情報を生成する。【０１４５】
続いて、制御部２０６は、再生データユニットを単位領域２４に記録する。（ステップＳ１４）。再生データユニットの長さが１個の単位領域２４の長さよりも長いときには、当該再生データユニットのすべてを記録するのに必要最小限の個数の単位領域２４からなる連続領域に再生データユニットを記録する。【０１４６】
続いて、制御部２０６は、戻り制御データユニットを生成し、戻り位置情報を戻り制御データユニットに含ませ、この戻り制御データユニットを単位領域２４または連続領域に記録する（ステップＳ１５）。単位領域２４内または連続領域内においてこの戻り制御データユニットを記録する位置は、ステップＳ１４で記録した再生データユニットの直後である。【０１４７】
続いて、制御部２０６は、直前のステップＳ１４およびＳ１５において再生データユニットおよび戻り制御データユニットを記録した単位領域２４内または連続領域内に残余（例えば未記録領域）があるか否かを判断する（ステップＳ１６）。【０１４８】
単位領域２４内または連続領域内に残余があるときには（ステップＳ１６：ＹＥＳ）、制御部２０６は、単位領域２４内または連続領域内の残余領域にダミーデータを記録し、この残余領域をダミーデータで埋める（ステップＳ１７）。【０１４９】
記録ディスク１に記録すべき再生データユニットが複数個あるときには、図２１中の処理が複数回繰り返される。【０１５０】
以上説明したとおり、記録再生装置２００によれば、再生データユニットを単位領域２４に記録するだけで、再生順序制御データ２１と再生データユニットとが一体となった１個のコンテンツデータグループを瞬時に形成することができる。これにより、例えばＤＶＤフォトアルバムなどのマルチメディア作品を制作する過程においてオーサリングの手間をなくすことができる。したがって、一般消費者によるマルチメディア作品の自主制作や制作代行サービス業者によるマルチメディア作品の制作などの簡単化、マルチメディア作品の制作期間の短縮化などを図ることができる。【０１５１】
なお、図２１中のステップＳ１１が認識手段および認識工程の具体例であり、ステップＳ１３が位置情報生成手段および位置情報生成工程の具体例である。また、ステップＳ１４が第１記録手段および第１記録手段の具体例であり、ステップＳ１５が第２記録手段および第２記録工程の具体例である。【０１５２】
また、以上のような記録装置の実施形態は、専用の装置としてハードウェアと一体的に構成する形態で実現してもよいし、コンピュータにプログラムを読み込ませることによって実現してもよい。この場合には、認識手段、位置情報生成手段、第１記録手段および第２記録手段を実現するためのコンピュータプログラムを作成する。【０１５３】
また、本発明は、請求の範囲および明細書全体から読み取るこのできる発明の要旨または思想に反しない範囲で適宜変更可能であり、そのような変更を伴う情報記録媒体、記録装置、記録方法およびコンピュータプログラムもまた本発明の技術思想に含まれる。
【産業上の利用可能性】
【０１５４】
本発明に係る情報記録媒体、記録装置および記録方法は、例えばＤＶＤ等の情報記録媒体に記録可能であり、更にＤＶＤレコーダ等の記録装置に利用可能である。また、例えば民生用或いは業務用の各種コンピュータ機器に搭載される又は各種コンピュータ機器に接続可能な記録装置等にも利用可能である。
【図１】
2006135051.tif 000002
【図２】
2006135051.tif 000003
【図３】
2006135051.tif 000004
【図４】
2006135051.tif 000005
【図５】
2006135051.tif 000006
【図６】
2006135051.tif 000007
【図７】
2006135051.tif 000008
【図８】
2006135051.tif 000009
【図９】
2006135051.tif 000010
【図１０】
2006135051.tif 000011
【図１１】
2006135051.tif 000012
【図１２】
2006135051.tif 000013
【図１３】
2006135051.tif 000014
【図１４】
2006135051.tif 000015
【図１５】
2006135051.tif 000016
【図１６】
2006135051.tif 000017
【図１７】
2006135051.tif 000018
【図１８】
2006135051.tif 000019
【図１９】
2006135051.tif 000020
【図２０】
2006135051.tif 000021
【図２１】
2006135051.tif 000022
【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
再生順序制御データが予め記録されたプリ記録領域と、
再生データユニットを記録するための後記録領域とを備え、
前記後記録領域には前記再生データユニットを追加的に記録することができ、
前記後記録領域は、前記再生データユニットを当該後記録領域に記録する前から、所定の長さを有しかつ物理的に連続して配列された複数の単位領域に仕切られており、
前記再生順序制御データは、前記各単位領域に記録される前記再生データユニットの再生順序を制御するためのデータであり、
前記再生順序制御データは、前記再生データユニットを前記後記録領域に記録する前から、前記各単位領域の位置を示す位置情報を有しており、
前記再生順序制御データは、複数の制御データユニットを含んでおり、前記複数の制御データユニットと前記複数の単位領域とがそれぞれ対応づけられており、
前記単位領域には、前記再生データユニットと共に戻り位置情報が記録されており、当該戻り位置情報は、当該戻り位置情報が記録されている単位領域の次の単位領域に対応する制御データユニットの記録位置またはその直前位置を示していることを特徴とする情報記録媒体。
【請求項２】
前記再生順序制御データは、前記再生データユニットを前記後記録領域に記録する前から、前記各単位領域にアクセスする順序を規定した順序情報を有していることを特徴とする請求の範囲第１項に記載の情報記録媒体。
【請求項３】
前記再生順序制御データは、前記再生データユニットを前記後記録領域に記録する前から、前記各単位領域にジャンプする旨を命じるジャンプ命令を有していることを特徴とする請求の範囲第１項に記載の情報記録媒体。
【請求項４】
前記再生順序制御データは、前記再生データユニットを前記後記録領域に記録する前から、前記各単位領域の長さを示す長さ情報を有することを特徴とする請求の範囲第１項に記載の情報記録媒体。
【請求項５】
（削除）
【請求項６】
前記後記録領域は、物理的に連続した１個の領域であることを特徴とする請求の範囲第１項に記載の情報記録媒体。
【請求項７】
前記各単位領域はそれぞれ同一の長さを有していることを特徴とする請求の範囲第１項に記載の情報記録媒体。
【請求項８】
前記プリ記録領域には、前記再生順序制御データが書換不能に記録されていることを特徴とする請求の範囲第１項に記載の情報記録媒体。
【請求項９】
前記後記録領域は未記録状態であることを特徴とする請求の範囲第１項に記載の情報記録媒体。
【請求項１０】
ファイルシステムが未記録であることを特徴とする請求の範囲第１項に記載の情報記録媒体。
【請求項１１】
前記プリ記録領域に前記再生順序制御データが予め記録され、かつ前記後記録領域に前記再生データユニットの追記が可能な情報記録媒体であることを示す記録媒体識別情報が、予め記録されていることを特徴とする請求の範囲第１項に記載の情報記録媒体。
【請求項１２】
少なくとも２個の記録層を有し、
前記２個の記録層のうち、一方の記録層に前記プリ記録領域が形成され、他方の記録層に前記後記録領域が形成されていることを特徴とする請求の範囲第１項に記載の情報記録媒体。
【請求項１３】
光ビームが照射される外表面を有し、
前記プリ記録領域が形成された記録層と前記外表面との間の距離が、前記後記録領域が形成された記録層と前記外表面との間の距離よりも大きいことを特徴とする請求の範囲第１２項に記載の情報記録媒体。
【請求項１４】
ディスク状基板を有し、
前記２個の記録層が前記ディスク状基板上に積層されており、
前記プリ記録領域に記録された前記再生順序制御データの読取方向と前記後記録領域に記録される再生データユニットの読取方向とが同じであり、これらの読取方向はいずれも前記ディスク状基板の所定の半径方向であることを特徴とする請求の範囲第１２項に記載の情報記録媒体。
【請求項１５】
前記再生順序制御データおよび前記再生データユニットは、両者合わせて１個のコンテンツデータグループを形成し、当該コンテンツデータグループは、直接の再生の対象であるコンテンツの内容を符号化した第１データとこの第１データの再生順序を決定するための第２データとを１個のデータグループ中に配列することを義務づけた規格に準拠した１個のデータグループであることを特徴とする請求の範囲第１項に記載の情報記録媒体。
【請求項１６】
前記再生順序制御データおよび前記再生データユニットは、両者合わせて１個のコンテンツデータグループを形成し、当該コンテンツデータグループはＤＶＤビデオ規格に準拠した１個のデータグループであることを特徴とする請求の範囲第１項に記載の情報記録媒体。
【請求項１７】
（削除）
【請求項１８】
（ａ）再生順序制御データが予め記録されたプリ記録領域と再生データユニットを記録するための後記録領域とを備え、（ｂ）前記後記録領域には前記再生データユニットを追加的に記録することができ、（ｃ）前記後記録領域は、所定の長さを有しかつ物理的に連続して配列された複数の単位領域に仕切られており、（ｄ）前記再生順序制御データは、前記各単位領域に記録される前記再生データユニットの再生順序を制御するためのデータであり、（ｅ）前記再生順序制御データは複数の第１制御データユニットを有し、（ｆ）前記複数の第１制御データユニットは前記複数の単位領域にそれぞれ対応しており、（ｇ）前記複数の第１制御データユニットは、前記複数の単位領域の位置を示す第１位置情報または前記複数の単位領域へジャンプする旨を命じるジャンプ命令をそれぞれ有している情報記録媒体に対し、前記再生データユニットの記録を行う記録装置であって、
前記再生データユニットおよび第２制御データユニットの記録に必要な単位領域の個数を認識する認識手段と、
前記認識手段により認識された個数の単位領域からなる連続領域の次の単位領域に対応する第１制御データユニットの記録位置またはその直前位置を示す第２位置情報を生成する位置情報生成手段と、
前記再生データユニットを前記連続領域に記録する第１記録手段と、
前記第２制御データユニットに前記第２位置情報を含ませ、この第２位置情報を含む当該第２制御データユニットを前記連続領域に記録する第２記録手段とを備えていることを特徴とする記録装置。
【請求項１９】
前記再生データユニットおよび前記第２制御データユニットを前記連続領域に記録した後、前記連続領域の残余領域にダミーデータを記録する第３記録手段を備えていることを特徴とする請求の範囲第１８項に記載の記録装置。
【請求項２０】
（ａ）再生順序制御データが予め記録されたプリ記録領域と再生データユニットを記録するための後記録領域とを備え、（ｂ）前記後記録領域には前記再生データユニットを追加的に記録することができ、（ｃ）前記後記録領域は、所定の長さを有しかつ物理的に連続して配列された複数の単位領域に仕切られており、（ｄ）前記再生順序制御データは、前記各単位領域に記録される前記再生データユニットの再生順序を制御するためのデータであり、（ｅ）前記再生順序制御データは複数の第１制御データユニットを有し、（ｆ）前記複数の第１制御データユニットは前記複数の単位領域にそれぞれ対応しており、（ｇ）前記複数の第１制御データユニットは、前記複数の単位領域の位置を示す第１位置情報または前記複数の単位領域へジャンプする旨を命じるジャンプ命令をそれぞれ有している情報記録媒体に対し、前記再生データユニットの記録を行う記録方法であって、
前記再生データユニットおよび第２制御データユニットの記録に必要な単位領域の個数を認識する認識工程と、
前記認識工程において認識された個数の単位領域からなる連続領域の次の単位領域に対応する第１制御データユニットの記録位置またはその直前位置を示す第２位置情報を生成する位置情報生成工程と、
前記再生データユニットを前記連続領域に記録する第１記録工程と、
前記第２制御データユニットに前記第２位置情報を含ませ、この第２位置情報を含む当該第２制御データユニットを前記連続領域に記録する第２記録工程とを備えていることを特徴とする記録方法。
【請求項２１】
請求の範囲第１８項に記載の記録装置としてコンピュータを機能させることを特徴とするコンピュータプログラム。
【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
再生順序制御データが予め記録されたプリ記録領域と、
再生データユニットを記録するための後記録領域とを備え、
前記後記録領域には前記再生データユニットを追加的に記録することができ、
前記後記録領域は、前記再生データユニットを当該後記録領域に記録する前から、所定の長さを有しかつ物理的に連続して配列された複数の単位領域に仕切られており、
前記再生順序制御データは、前記各単位領域に記録される前記再生データユニットの再生順序を制御するためのデータであり、
前記再生順序制御データは、前記再生データユニットを前記後記録領域に記録する前から、前記各単位領域の位置を示す位置情報を有しており、
前記単位領域には、前記再生データユニットと共に戻り位置情報が記録されており、当該戻り位置情報は、当該戻り位置情報が記録されている単位領域の次の単位領域に対応する制御データユニットの記録位置またはその直前位置を示していることを特徴とする情報記録媒体。
【請求項２】
前記再生順序制御データは、前記再生データユニットを前記後記録領域に記録する前から、前記各単位領域にアクセスする順序を規定した順序情報を有していることを特徴とする請求の範囲第１項に記載の情報記録媒体。
【請求項３】
前記再生順序制御データは、前記再生データユニットを前記後記録領域に記録する前から、前記各単位領域にジャンプする旨を命じるジャンプ命令を有していることを特徴とする請求の範囲第１項に記載の情報記録媒体。
【請求項４】
前記再生順序制御データは、前記再生データユニットを前記後記録領域に記録する前から、前記各単位領域の長さを示す長さ情報を有することを特徴とする請求の範囲第１項に記載の情報記録媒体。
【請求項５】
前記後記録領域は、物理的に連続した１個の領域であることを特徴とする請求の範囲第１項に記載の情報記録媒体。
【請求項６】
前記各単位領域はそれぞれ同一の長さを有していることを特徴とする請求の範囲第１項に記載の情報記録媒体。
【請求項７】
前記プリ記録領域には、前記再生順序制御データが書換不能に記録されていることを特徴とする請求の範囲第１項に記載の情報記録媒体。
【請求項８】
前記後記録領域は未記録状態であることを特徴とする請求の範囲第１項に記載の情報記録媒体。
【請求項９】
ファイルシステムが未記録であることを特徴とする請求の範囲第１項に記載の情報記録媒体。
【請求項１０】
前記プリ記録領域に前記再生順序制御データが予め記録され、かつ前記後記録領域に前記再生データユニットの追記が可能な情報記録媒体であることを示す記録媒体識別情報が、予め記録されていることを特徴とする請求の範囲第１項に記載の情報記録媒体。
【請求項１１】
少なくとも２個の記録層を有し、
前記２個の記録層のうち、一方の記録層に前記プリ記録領域が形成され、他方の記録層に前記後記録領域が形成されていることを特徴とする請求の範囲第１項に記載の情報記録媒体。
【請求項１２】
光ビームが照射される外表面を有し、
前記プリ記録領域が形成された記録層と前記外表面との間の距離が、前記後記録領域が形成された記録層と前記外表面との間の距離よりも大きいことを特徴とする請求の範囲第１１項に記載の情報記録媒体。
【請求項１３】
ディスク状基板を有し、
前記２個の記録層が前記ディスク状基板上に積層されており、
前記プリ記録領域に記録された前記再生順序制御データの読取方向と前記後記録領域に記録される再生データユニットの読取方向とが同じであり、これらの読取方向はいずれも前記ディスク状基板の所定の半径方向であることを特徴とする請求の範囲第１１項に記載の情報記録媒体。
【請求項１４】
前記再生順序制御データおよび前記再生データユニットは、両者合わせて１個のコンテンツデータグループを形成し、当該コンテンツデータグループは、直接の再生の対象であるコンテンツの内容を符号化した第１データとこの第１データの再生順序を決定するための第２データとを１個のデータグループ中に配列することを義務づけた規格に準拠した１個のデータグループであることを特徴とする請求の範囲第１項に記載の情報記録媒体。
【請求項１５】
前記再生順序制御データおよび前記再生データユニットは、両者合わせて１個のコンテンツデータグループを形成し、当該コンテンツデータグループはＤＶＤビデオ規格に準拠した１個のデータグループであることを特徴とする請求の範囲第１項に記載の情報記録媒体。
【請求項１６】
(a)再生順序制御データが予め記録されたプリ記録領域と再生データユニットを記録するための後記録領域とを備え、(b)前記後記録領域には前記再生データユニットを追加的に記録することができ、(c)前記後記録領域は、所定の長さを有しかつ物理的に連続して配列された複数の単位領域に仕切られており、(d)前記再生順序制御データは、前記各単位領域に記録される前記再生データユニットの再生順序を制御するためのデータであり、(e)前記再生順序制御データは複数の第１制御データユニットを有し、(f)前記複数の第１制御データユニットは前記複数の単位領域にそれぞれ対応しており、(g)前記複数の第１制御データユニットは、前記複数の単位領域の位置を示す第１位置情報または前記複数の単位領域へジャンプする旨を命じるジャンプ命令をそれぞれ有している情報記録媒体に対し、前記再生データユニットの記録を行う記録装置であって、
前記再生データユニットおよび第２制御データユニットの記録に必要な単位領域の個数を認識する認識手段と、
前記認識手段により認識された個数の単位領域からなる連続領域の次の単位領域に対応する第１制御データユニットの記録位置またはその直前位置を示す第２位置情報を生成する位置情報生成手段と、
前記再生データユニットを前記連続領域に記録する第１記録手段と、
前記第２制御データユニットに前記第２位置情報を含ませ、この第２位置情報を含む当該第２制御データユニットを前記連続領域に記録する第２記録手段とを備えていることを特徴とする記録装置。
【請求項１７】
前記再生データユニットおよび前記第２制御データユニットを前記連続領域に記録した後、前記連続領域の残余領域にダミーデータを記録する第３記録手段を備えていることを特徴とする請求の範囲第１６項に記載の記録装置。
【請求項１８】
(a)再生順序制御データが予め記録されたプリ記録領域と再生データユニットを記録するための後記録領域とを備え、(b)前記後記録領域には前記再生データユニットを追加的に記録することができ、(c)前記後記録領域は、所定の長さを有しかつ物理的に連続して配列された複数の単位領域に仕切られており、(d)前記再生順序制御データは、前記各単位領域に記録される前記再生データユニットの再生順序を制御するためのデータであり、(e)前記再生順序制御データは複数の第１制御データユニットを有し、(f)前記複数の第１制御データユニットは前記複数の単位領域にそれぞれ対応しており、(g)前記複数の第１制御データユニットは、前記複数の単位領域の位置を示す第１位置情報または前記複数の単位領域へジャンプする旨を命じるジャンプ命令をそれぞれ有している情報記録媒体に対し、前記再生データユニットの記録を行う記録方法であって、
前記再生データユニットおよび第２制御データユニットの記録に必要な単位領域の個数を認識する認識工程と、
前記認識工程において認識された個数の単位領域からなる連続領域の次の単位領域に対応する第１制御データユニットの記録位置またはその直前位置を示す第２位置情報を生成する位置情報生成工程と、
前記再生データユニットを前記連続領域に記録する第１記録工程と、
前記第２制御データユニットに前記第２位置情報を含ませ、この第２位置情報を含む当該第２制御データユニットを前記連続領域に記録する第２記録工程とを備えていることを特徴とする記録方法。
【請求項１９】
請求の範囲第１６項に記載の記録装置としてコンピュータを機能させることを特徴とするコンピュータプログラム。
【国際調査報告】
2006135051.tif 000023
2006135051.tif 000024
2006135051.tif 000025
2006135051.tif 000026